(57)【要約】【課題】ウィンドウ部がハウジングに強固に固定され、且つ厚さが薄い携帯式電子装置用ハウジングアセンブリを提供すること。【解決手段】本発明に係る携帯式電子装置用ハウジングアセンブリは、ハウジングと、前記ハウジングのカメラレンズが装着された箇所に対応して装着される装飾部品と、前記装飾部品を前記ハウジングに固定するための保持部品と、を備える。前記保持部品は、複数の係止片を備え、前記ハウジングは、前記係止片に対応して設けられる複数の固定部品を有し、前記保持部品は、前記装飾部品に固定され、各々の前記係止片は、前記ハウジングを貫通した後折り曲げられて、前記ハウジングの固定部品と一体に固定される。【選択図】図２
2013042486.tif 000002
【特許請求の範囲】
【請求項１】
ハウジングと、前記ハウジングのカメラレンズが装着された箇所に対応して装着される装飾部品と、前記装飾部品を前記ハウジングに固定するための保持部品と、を備える携帯式電子装置用ハウジングアセンブリであって、
前記保持部品は、複数の係止片を備え、前記ハウジングは、前記係止片に対応して設けられる複数の固定部品を有し、前記保持部品は前記装飾部品に固定され、
各々の前記係止片は、前記ハウジングを貫通した後それぞれ折り曲げられて、前記ハウジングの固定部品と一体に固定されることを特徴とする携帯式電子装置用ハウジングアセンブリ。
【請求項２】
前記保持部品は４つの前記係止片を備え、各々の前記係止片は金属片体であり、且つ前記係止片の中央部には係合孔が設けられ、前記ハウジングは底板を備え、各々の前記固定部品は、前記底板を貫通するスリット及び該スリットに隣接して設けられる係止ブロックを備え、
前記係止片は、前記スリットを貫通した後折り曲げられて、前記係合孔を介して前記係止ブロックに係合されることを特徴とする請求項１に記載の携帯式電子装置用ハウジングアセンブリ。
【請求項３】
各々の前記係止片における前記係合孔の両側には、前記係合孔と連通する凹溝がそれぞれ設けられ、前記係止片は、前記凹溝を折り目として折り曲げられて、前記係止ブロックに係合されることを特徴とする請求項２に記載の携帯式電子装置用ハウジングアセンブリ。
【請求項４】
前記保持部品は、「エ」字状の骨組みであり、第一支持部と、前記第一支持部に平行な第二支持部と、前記第一支持部及び前記第二支持部を連接する連接部と、を備えることを特徴とする請求項２または３に記載の携帯式電子装置用ハウジングアセンブリ。
【請求項５】
複数の前記係止片は、基端部が前記連接部の延在方向に直交し、且つ前記第一及び第二支持部から離間する同一方向に向かって延伸することを特徴とする請求項４に記載の携帯式電子装置用ハウジングアセンブリ。
【請求項６】
前記第二支持部の長手方向一端には、位置決め部がさらに設けられ、前記ハウジングには、前記底板を貫通する貫通開口が設けられ、前記位置決め部は、前記貫通開口内に嵌合されることを特徴とする請求項５に記載の携帯式電子装置用ハウジングアセンブリ。
【請求項７】
各々の前記固定部品は底壁を有する収容凹所を備え、前記係止ブロックは前記底壁に突設され、前記スリットは前記底壁の片側に設けられ、且つ前記底板を貫通し、前記係止片は、折り曲げられて前記収容凹所の底壁に当接されることを特徴とする請求項６に記載の携帯式電子装置用ハウジングアセンブリ。
【請求項８】
前記底板は、外面及び内面を備え、前記外面には取付凹所が設けられ、前記スリット及び前記貫通開口は、前記取付凹所の底壁を貫通することを特徴とする請求項７に記載の携帯式電子装置用ハウジングアセンブリ。
【発明の詳細な説明】
【技術分野】
【０００１】
本発明は、携帯式電子装置に用いられるハウジングアセンブリに関するものである。
【背景技術】
【０００２】
現在、大部分の携帯式電子装置がカメラモジュールを有する。該カメラモジュールを保護するために、通常、ガラス或いは透明樹脂からなる装飾効果を有するウィンドウ部によって、前記カメラモジュールを被覆する。例えば、従来の技術において、成形された後のプラスチック製のハウジングの周縁部に、接着剤を介してウィンドウ部を接着する（特許文献１を参照）。
【０００３】
しかし、上記の方法によって形成されたウィンドウ部（装飾部材とも言える）を有するハウジングアセンブリは、ウィンドウ部とハウジングとの接合力が強固ではない。そのため、使用時間の増加に伴い接着剤の結合力は小さくなり、前記ウィンドウ部は、前記ハウジングから脱落する恐れがある。
【０００４】
また、リベットを介してウィンドウ部を携帯式電子装置のハウジングに固定する方法も開発されているが、該方法によって形成されたハウジングアセンブリは、それ自体の厚さが増大するため、携帯式電子装置全体の体積までもが増大する。
【先行技術文献】
【特許文献】
【０００５】
【特許文献１】米国特許出願公開第２０１０／０９４８８６８号明細書
【発明の概要】
【発明が解決しようとする課題】
【０００６】
上記の問題点に鑑みて、本発明は、ウィンドウ部がハウジングに強固に固定され、且つ厚さが薄い携帯式電子装置用ハウジングアセンブリを提供することを目的とする。
【課題を解決するための手段】
【０００７】
上記の目的を達成するために、本発明に係る携帯式電子装置用ハウジングアセンブリは、ハウジングと、前記ハウジングのカメラレンズが装着された箇所に対応して装着される装飾部品と、前記装飾部品を前記ハウジングに固定するための保持部品と、を備える。前記保持部品は複数の係止片を備え、前記ハウジングは、前記係止片に対応して設けられる複数の固定部品を有し、前記保持部品は前記装飾部品に固定され、各々の前記係止片は、前記ハウジングを貫通した後それぞれ折り曲げられて、前記ハウジングの固定部品と一体に固定される。
【発明の効果】
【０００８】
本発明に係る携帯式電子装置用ハウジングアセンブリは、ウィンドウ部が設けられた装飾部品が保持部品を介して前記携帯式電子装置のハウジングに固定される。前記保持部品は複数の係止片を備え、前記ハウジングには、複数の前記係止片に対応する固定部品がそれぞれ設けられる。複数の前記係止片は、前記ハウジングを貫通した後それぞれ折り曲げられて前記固定部品と一体に溶着する。本発明のウィンドウ部を有する装飾部品の固定方法は、簡単であり且つ組み立てる際に前記ハウジングを損傷しない。また、前記装飾部品は、前記ハウジングに強固に装着されて、前記ハウジングから脱落することが起こらない。さらに、前記保持部品は、前記ハウジングの内部に固定されるので、前記携帯式電子装置用ハウジングアセンブリ全体の厚さを増加しない。
【図面の簡単な説明】
【０００９】
【図１】本発明の実施形態に係る携帯式電子装置用ハウジングアセンブリの斜視図である。
【図２】図１に示した携帯式電子装置用ハウジングアセンブリの分解図である。
【図３】図２に示した携帯式電子装置用ハウジングアセンブリを反対側から見た分解図である。
【図４】図２に示した携帯式電子装置用ハウジングアセンブリの保持部品の斜視図である。
【図５】図３に示した携帯式電子装置用ハウジングアセンブリが組み立てられた状態を示す斜視図である。
【発明を実施するための形態】
【００１０】
本発明に係るハウジングアセンブリは、携帯電話、デジカメ及びパソコンなどの携帯式電子装置に用いられる。以下、図面を参照しながら、本発明の実施形態について詳細に説明する。
【００１１】
図１〜図３に示したように、本発明の携帯式電子装置用ハウジングアセンブリ１００は、ハウジング１０と、装飾部品２０と、前記装飾部品２０を前記ハウジング１０に固定するための保持部品３０と、を備える。
【００１２】
前記ハウジング１０は、底板１１、周壁１２、取付凹所１３、複数の固定部品１５及び貫通開口１６を備える。前記底板１１全体は、ほぼ矩形であり、且つ外面１１１及び内面１１２を備える。前記周壁１２は、前記底板１１の周縁部から垂直に延在する。前記取付凹所１３は、略矩形で、深さが浅い凹所であり、底壁１３１を備え、且つ前記外面１１１の長手方向一端部に設けられる。また、前記底壁１３１には、前記底板１１を貫通する円孔１４が設けられており、該円孔１４のサイズ及び形状は、携帯式電子装置のカメラレンズ（図示せず）に適合するため、カメラレンズは前記円孔１４を介して外光を取り入れることができる。前記内面１１２における前記円孔１４の周りには、前記カメラレンズを装着するための一対の取付壁１１３が対向して設けられている。
【００１３】
前記複数の固定部品１５は、収容凹所１５１と、前記収容凹所１５１の底壁１５１１から上方に向かって垂直に突出する係止ブロック１５２と、前記底壁１５１１の片側に設けられるスリット１５３と、をそれぞれ備える。本発明の実施形態において、前記固定部品１５の数は４つである。４つの前記固定部品１５は、前記内面１１２において、対向する前記取付壁１１３の外側に、対称的にそれぞれ設けられる。即ち、４つの前記固定部品１５は二つずつ対になっている。また、前記係止ブロック１５２は、前記スリット１５３に隣接して設けられる。前記スリット１５３は細長い形状であり、前記底壁１５１１の前記円孔１４に近い側に設けられ、且つ前記底板１１を貫通して、前記取付凹所１３の前記底壁１３１も貫通する。前記貫通開口１６は、前記取付壁１１３の一方側の前記スリット１５３と同一直線上に位置する。
【００１４】
前記装飾部品２０は、前記ハウジング１０の前記取付凹所１３に対応して装着される。前記装飾部品２０は、矩形の主体板２１、透明なウィンドウ部２２及び光反射レンズ２３を備え、前記主体板２１は、背面２１２を備える。前記ウィンドウ部２２は、前記取付凹所１３の前記円孔１４に対応して、前記主体板２１に嵌め込まれて、前記円孔１４を遮蔽する。前記光反射レンズ２３は、前記ウィンドウ部２２に隣接して、前記主体板２１に嵌め込まれる。
【００１５】
図４に示したように、前記保持部品３０は、ほぼ「エ」字状の骨組みであり、連接部３１、第一支持部３２、前記第一支持部３２に平行な第二支持部３３及び複数の係止片３４を備える。前記連接部３１、前記第一支持部３２及び前記第二支持部３３は、それぞれ細長い板状体であり、前記連接部３１は、橋架するように前記第一支持部３２及び前記第二支持部３３に連接される。本発明の実施形態に係る前記保持部品３０は、前記第一支持部３２または前記第二支持部３３との接続部分である基端部が前記連接部３１の延在方向に直交し、且つ前記第一支持部３２または前記第二支持部３３から離間する同一方向に向かって延伸する４つの係止片３４を備える。その内、２つの係止片３４は、前記第一支持部３２の長手方向両端の一側辺から上向きにやや湾曲して形成され、他の２つの係止片３４も、前記第二支持部３３の長手方向両端の一側辺から上向きにやや湾曲して形成される。なお、すべての係止片３４は、前記第一支持部３２及び前記第二支持部３３における連接部３１から離間して形成されている。
【００１６】
前記係止片３４は、ほぼ馬蹄形の金属片体であり、前記固定部品１５の前記収容凹所１５１内に嵌合される。各々の前記係止片３４は、側面３５、係合孔３６及び２つの凹溝３７をそれぞれ備える。前記係合孔３６は、前記側面３５の中央部に設けられ、且つ前記係止片３４を貫通する。前記固定部品１５の前記係止ブロック１５２は、前記係合孔３６に係合される。２つの前記凹溝３７は、前記係止片３４の前記側面３５にそれぞれ凹設され、且つ前記係合孔３６の相対する両側に位置して、前記係合孔３６と連通する。２つの前記凹溝３７が存在するため、前記係止片３４は、該凹溝３７を折り目として、容易に折り曲げることができる。前記保持部品３０は、位置決め部３８をさらに備え、該位置決め部３８は、前記第二支持部３３の長手方向の一端から折り曲げられて、係止片３４と同方向に突出する橋架状に延在する。
【００１７】
以下、図２、図３及び図５を共に参照しながら、本発明のハウジングアセンブリの組み立て手順について説明する。
【００１８】
本発明の携帯式電子装置用ハウジングアセンブリ１００を組み立てる場合、先ず、溶接などの機械式連接法によって、前記保持部品３０の底面を前記装飾部品２０の前記背面２１２に設置する。この時、前記保持部品３０は、前記係止片３４及び前記位置決め部３８が前記背面２１２から離れて延伸するように設置される。次に、前記装飾部品２０を前記取付凹所１３内に設置して、前記位置決め部３８の凸状部を前記貫通開口１６内に挿入すると共に、４つの前記係止片３４を前記取付凹所１３側から前記スリット１５３にそれぞれ貫通させて、前記内面１１２から露出させる。次に、各々の前記係止片３４を前記凹溝３７に沿って外側に折り曲げて、前記係止ブロック１５２の周りを取り囲むように設置する。この時、各々の前記係止片３４の前記側面３５は、前記収容凹所１５１の前記底壁１５１１と互いに当接する。最後に、熱溶融方式によって、前記係止ブロック１５２を溶融して、前記係止片３４と前記係止ブロック１５２とを一体に溶着する。これにより、前記係止片３４は、前記収容凹所１５１内に固定される。
【００１９】
本発明の携帯式電子装置用ハウジングアセンブリ１００は、前記保持部品３０を介して、前記装飾部品２０を前記ハウジング１０に固定する。前記保持部品３０の前記係止片３４と前記ハウジング１０の前記係止ブロック１５２とが溶接などの方法によって、一体に固定されるため、前記装飾部品２０は、前記ハウジング１０に強固に装着されて、前記ハウジング１０から脱落しない。また、上記の組み立て方法は、前記ハウジング１０を損傷せず、且つ前記保持部品３０は、前記ハウジング１０の内部に固定されるので、前記携帯式電子装置用ハウジングアセンブリ１００全体の厚さは増加しない。
【００２０】
なお、本発明は前記の実施形態に限定されるものではなく、本発明の目的を達成できる他の構成等を含む。例えば、前記保持部品３０は、４つの前記係止片３４のみを備える。この場合、４つの前記係止片３４を、前記装飾部品２０の前記ハウジング１０に向かう表面にそれぞれ半田付けした後、前記ハウジング１０の前記スリット１５３に貫通させる。その後、４つの前記係止片３４をそれぞれ折り曲げて、前記係止ブロック１５２の周りに係合させる。これにより、前記装飾部品２０を前記ハウジング１０に強固に装着することを実現する。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００２２】
１０        ハウジング
１１        底板
１２        周壁
１３        取付凹所
１４        円孔
１５        固定部品
１６        貫通開口
２０        装飾部品
２１        主体板
２２        ウィンドウ部
２３        光反射レンズ
３０        保持部品
３１        連接部
３２        第一支持部
３３        第二支持部
３４        係止片
３５        側面
３６        係合孔
３７        凹溝
３８        位置決め部
１００      携帯式電子装置用ハウジングアセンブリ
１１１      外面
１１２      内面
１１３      取付壁
１３１      底壁
１５１      収容凹所
１５２      係止ブロック
１５３      スリット
２１２      背面
１５１１    底壁
【図１】
2013042486.tif 000003
【図２】
2013042486.tif 000004
【図３】
2013042486.tif 000005
【図４】
2013042486.tif 000006
【図５】
2013042486.tif 000007